(57)【特許請求の範囲】
【請求項１】
中央装置から延出された第１光ファイバケーブルと、光ノード装置と、需要家に延出される同軸ケーブルを使用して、データ信号とテレビジョン信号を周波数多重で伝送する伝送方式であって、
前記中央装置と前記光ノード装置間に第２光ファイバケーブルを設け、
前記光ノード装置に、前記第２光ファイバケーブルの入出力を変換する光電変換器と、送受信装置と、該送受信装置の入出力を前記同軸ケーブルに混合する混合器を備え、
テレビジョン信号は前記第１光ファイバケーブルで下り方向に、前記データ信号は前記第２光ファイバケーブルで双方向に伝送され、
第２光ファイバケーブルに伝送されるデータ信号の周波数帯域は、前記テレビジョン信号の周波数帯域の空き帯域であり、
前記送受信装置はイーサネット通信装置であって、少なくとも前記第２光ファイバケーブルにおいては、データはベースバンド方式で伝送され、
前記同軸ケーブルでは上り帯域と下り帯域とを分離させておらず、
前記同軸ケーブルには上り帯域と下り帯域とを分離する分波器、混合器、高域通過フィルタ、又は、低域通過フィルタなどの伝送帯域を制限する回路要素、伝送方向を制限する増幅器が設けられていない
ことを特徴とするデータ信号とテレビジョン信号の多重伝送方式。
【請求項２】
請求項１に記載のデータ信号とテレビジョン信号の多重伝送方式に用いる光ノード装置であって、
前記第２光ファイバケーブルの入出力を光電変換する光電変換器と、
前記光電変換器後段に接続され、その入出力をイーサネット通信方式に変換するイーサネット通信装置と、
前記イーサネット通信装置と前記同軸ケーブルを接続し、前記テレビジョン信号と前記データ信号を混合する混合器と
を備えたことを特徴とする光ノード装置。
【発明の詳細な説明】
【０００１】
【発明の属する技術分野】
本発明は光ファイバと同軸ケーブルを用いてデータ信号とテレビジョン信号を多重に伝送する伝送方式及びその光ノード装置に関する。
特に、中央装置と光ノード装置間に第２光ファイバケーブルを設けて、上り帯域と下り帯域に分けることなく全帯域で通信可能とし、その効率を向上させる伝送方式及びその光ノード装置に関する。
本発明は、ＴＶ受信機能に影響を与えることなく常時、高速通信を可能とするＣＡＴＶネットワークシステムに適用できる。
【０００２】
【従来の技術】
従来より、ＣＡＴＶシステムを利用したネットワークシステムがある。それは、一般にローカルエリアネットワーク（以下、ＬＡＮという）と呼ばれ、市中に配備されたＣＡＴＶの幹線ケーブルに複数の端末装置を接続し、端末装置間又は端末装置と中央装置との間でデータを送受信するシステムである。このシステムでは、テレビジョン信号は勿論、他に例えば文字データ、映像データ、音声データ等が双方方向に伝送されている。
【０００３】
従来のＣＡＴＶネットワークシステムを図６に示す。ＣＡＴＶネットワークシステムは、ＣＡＴＶ局２０、ＣＡＴＶ局２０に設けられた中央装置２２、中央装置２２に接続された幹線の光ファイバケーブル２３、光ノード装置３０、光ノード装置３０から延出された同軸ケーブル２５、同軸ケーブル２５の所定個所に設けられた中継装置５０、そして分岐ケーブル２４に接続された需要家ネットワーク４０から構成される。尚、ＣＡＴＶ局２０はインターネット・インターフェース１６を有しており、中央装置２２はそれを介してインターネット網１０に接続されている。
需要家ネットワーク４０は、分岐ケーブル２４を伝搬した高周波変調信号（以下、ＲＦ変調信号）を分岐／分配する分岐／分配器４１、分岐／分配器４１に接続された端末装置４２、ＴＶ受信装置４３から構成される。尚、端末装置４２には、高周波信号をベースバンド信号に復調、あるいはベースバンド信号を高周波信号に変調する変復調器であるケーブルモデム４４が備えられている。
【０００４】
このＣＡＴＶネットワークシステムで用いられる伝送方式は、ＲＦ変調信号を周波数多重化して伝送するブロードバンド方式である。上り高周波信号には例えば１０ＭHz〜５０ＭHz帯が、下り高周波信号には９０ＭHz〜７７０ＭHz帯が割り当てられている。そして、上記両帯域を用いてデータ信号が上り信号と下り信号で送受信されている。即ち、上りデータ信号は１０ＭHz〜５０ＭHz帯域で伝送され、下りデータ信号はテレビジョン信号の９０ＭHz〜７７０ＭHz帯の空き帯域又は、同軸ケーブルの上限周波数帯域（〜９００ＭＨｚ）などが利用されて伝送されている。
【０００５】
図７に光ノード装置３０を示す。図は、構成ブロック図である。光ノード装置３０は、光信号と電気信号を相互に変換する光電変換器３１、上り信号を送信する送信器（Ｔｘ）３４、下り信号を受信する受信器（Ｒｘ）３３、両信号を分波する分波器３５から構成される。
下り信号であるテレビジョン信号と中央装置２２からの下りデータ信号が光ファイバケーブル２３から入力されると、受信器（Ｒｘ）３３がそれらを受信し、分波器３５、同軸ケーブル２５を介して需要家４０に送信する。逆に、同軸ケーブル２５を介して需要家４０から上り信号が入力されると、それらの信号を分波器３５で送信器（Ｔｘ）３４側に分波し、送信器３４と光電変換器３１で光ファイバケーブル２３を介して中央装置２２に送信している。
近年では、インタネット等の進展によりデータ通信ユーザーが増大し、待ち時間のない、より効率的な伝送方式が要求されている。即ち、ＣＡＴＶネットワークシステムにおいては、上りデータ信号の帯域の拡大が要求されている。
【０００６】
【発明が解決しようする課題】
しかしながら、従来の伝送方式では、上りデータ帯域は、上記のように１０ＭHz〜５０ＭＨｚのみである。特に、ＣＡＴＶシステム制御用のチャネルを除けば数チャネルとなっている。即ち、需要家数が比較的少ない場合は、良好な伝送効率で通信サービスを提供できたが、近年の需要家増大に対しては効率の低下が懸念されていた。
【０００７】
本発明は上述した問題点を解決するためになされたものであり、その目的は中央装置と光ノード装置間に第２光ファイバケーブルを敷設し、或いは予備線の光ファイバケーブルを第２光ファイバケーブルとし、その第２光ファイバケーブルより全帯域に渡る空き帯域通信を可能とすることである。即ち、上りデータ信号の周波数帯域を第２光ファイバケーブルの使用によって、従来の下り信号帯域のＴＶ空き帯域まで拡大して、通信効率を向上させることである。
又、その伝送方式を可能とする光ノード装置を提供することである。
【０００８】
【課題を解決するための手段及び作用効果】
上記の課題を解決するために、請求項１に記載のデータ信号とテレビジョン信号の多重伝送方式は、中央装置から延出された第１光ファイバケーブルと、光ノード装置と、需要家に延出される同軸ケーブルを使用して、データ信号とテレビジョン信号を周波数多重で伝送する伝送方式であって、中央装置と光ノード装置間に第２光ファイバケーブルを設け、光ノード装置に、第２光ファイバケーブルの入出力を変換する光電変換器と、送受信装置と、該送受信装置の入出力を同軸ケーブルに混合する混合器を備え、テレビジョン信号は第１光ファイバケーブルで下り方向に、データ信号は第２光ファイバケーブルで双方向に伝送され、第２光ファイバケーブルに伝送されるデータ信号の周波数帯域は、テレビジョン信号の周波数帯域の空き帯域であり、送受信装置はイーサネット通信装置であって、少なくとも第２光ファイバケーブルにおいては、データはベースバンド方式で伝送され、同軸ケーブルでは上り帯域と下り帯域とを分離させておらず、同軸ケーブルには上り帯域と下り帯域とを分離する分波器、混合器、高域通過フィルタ、又は、低域通過フィルタなどの伝送帯域を制限する回路要素、伝送方向を制限する増幅器が設けられていないことを特徴とするデータ信号とテレビジョン信号の多重伝送方式である。
【０００９】
上記第２光ファイバケーブルの敷設は、需要家から中央装置までデータ信号のみ伝送される双方向のデータ専用伝送路を形成することを意味する。従来のシステムでは、一本の同軸ケーブルで上りと下りを伝送するため周波数帯域がガードバンド帯域（例えば、５０〜９０ＭＨｚ）で分離されていた。即ち、上りデータ信号は例えば１０〜５０ＭHzの帯域で伝送され、下りデータ信号とテレビジョン信号は例えば９０〜７７０ＭHzの帯域で伝送されていた。又、テレビジョン信号（下り信号）を優先するため従来は上り信号は、下り信号に比較して狭帯域で伝送されていた。本発明では、データ信号専用伝送路（第２光ファイバケーブル）を混合器で従来の同軸ケーブルに混合しているので、上記制約を越えることができる。
【００１０】
即ち、光ノード装置の送受信器が上りデータ信号を受信する場合、その受信可能帯域を下り帯域まで拡大して受信するようにする。この拡大は、例えばローパスフィルタ、ハイパスフィルタからなる分離フィルタ（分波器）を用いた拡大でもよいし、又、例えばイーサネット（登録商標）通信装置による拡大でもよい。分波器による拡大とは、ガードバンド帯域を上流側にシフトさせることを意味する。又、イーサネット通信装置による拡大とは、上り信号を下り帯域で受信して、それをベースバンド信号で上流に送信することを意味する。即ち、上り帯域は下り帯域に混在してもよい。このように上り帯域を拡大すれば、より多くの上りデータを送信することができる。又、上り帯域が拡大されるので、通信の待ち時間が低減され、全体としての伝送速度を向上させることができる。
尚、逆に下りデータ信号を上り帯域で伝送させることもできる。例えば、下りデータ信号を上り帯域で第２光ファイバケーブルに送信すれば、光電変換器、送受信器、混合器、同軸ケーブルを経て、需要家の端末装置に送信される。上り帯域にも空き帯域があれば、それを利用して下り帯域を拡大してもよい。即ち、上り帯域の拡大、下り帯域の拡大は、両者を混在させることも含む。勿論、下り方向の上限周波数の拡大であってもよい。
【００１１】
空き帯域であれば、データ信号が通常のテレビジョン信号に混入することはない。よって、従来のＴＶ受信にも影響を与えることのない、利便性に優れた伝送方式となる。
【００１２】
少なくとも第２光ファイバケーブルにベースバンド方式を採用することは、光イーサネットを採用することを意味する。光ファイバの特性によりＲＦＩ(Radio-Frequency-Interference)の放射と干渉が除去され、伝送誤りが減少する。よって、品質のよい伝送が保証される。
又、イーサネット通信装置の後段、即ち需要家にもベースバンド方式を採用する場合には、需要家は変復調器を必要としない。即ち、半２重通信で双方向通信が可能となる。又、イーサネット通信装置は、例えばアドレス制御を行うのでその後段に多数の端末装置を備えることができる。よって、容易にＬＡＮを形成することができる。
【００１３】
【００１４】
請求項２に記載の光ノード装置は、請求項１に記載のデータ信号とテレビジョン信号の多重伝送方式に用いる光ノード装置であって、第２光ファイバケーブルの入出力を光電変換する光電変換器と、光電変換器後段に接続され、その入出力をイーサネット通信方式に変換するイーサネット通信装置と、イーサネット通信装置と同軸ケーブルを接続し、テレビジョン信号とデータ信号を混合する混合器とを備えたことを特徴とする。
【００１５】
光電変換器は、第２光ファイバケーブルの入出力を光電変換する。即ち、イーサネット通信装置からの上り信号があれば、電気信号を光信号にして第２光ファイバケーブルに送信する。第２光ファイバケーブルからの下り信号であれば、光信号を電気信号に変換してイーサネット通信装置に送信する。イーサネット通信装置とは、例えばＩＥＥＥ８０２．３に準拠した装置である。即ち、イーサネット通信装置は、例えばＣＳＭＡ／ＣＤ方式で伝送すべき伝送路の空き状態を検知し、上り又は下り方向に信号を送信する。下り方向に送信されたベースバンド信号は、混合器によってテレビジョン信号と混合され需要家の端末装置に送信される。
又、需要家の端末装置から下り帯域で、上り方向に送信されたベースバンド信号は、混合器を逆に辿りイーサネット通信装置に入力される。入力されたベースバンド信号は、例えば光イーサネット仕様（１００ＢＡＳＥ−Ｆ仕様）に変換され、光電変換器から光信号で第２光ファイバケーブルに送信される。即ち、従来の光ノード装置に上記のように光電変換器とイーサネット通信装置と混合器を備えれば、上り帯域を拡大して容易にＬＡＮを形成することができる。
【００１６】
【００１７】
【００１８】
【００１９】
本発明において、同軸ケーブルには上り帯域と下り帯域とを分離する分波器、混合器、高域通過フィルタ、又は、低域通過フィルタなどの伝送帯域を制限する回路要素、伝送方向を制限する増幅器が設けられていない。これにより、光ノードと需要家との間の通信は上りと下りとで帯域分離させいないし、帯域を制限する回路要素や、増幅器が存在しないことから、上りと下りの信号を任意帯域に配置させることが可能となる。
【００２０】
【発明の実施の形態】
以下、本発明の実施の形態について図面を参照して説明する。なお、本発明は下記実施例に限定されるものではない。
（第１実施例）
図１に本発明のデータ信号とテレビジョン信号（以下、ＴＶ信号）の多重伝送方式を説明するＣＡＴＶシステムを示す。図は、構成の１例図である。本実施例のＣＡＴＶシステムは、従来のブロードバンド伝送方式を採用するシステムに、データ通信を専用とする光ファイバケーブル２１とデジタル機能を有した光ノード装置３０を備えたことが特徴である。即ち、データ通信専用のバイパス経路を形成したことが特徴である。そして、通信においてブロードバンド伝送方式とベースバンド伝送方式の両方式を可能としたことが特徴である。
【００２１】
本実施例のＣＡＴＶシステムは、ＣＡＴＶ局２０，ＣＡＴＶ局２０に設けられた中央装置２２、中央装置２２から延出された第１光ファイバケーブルである光ファイバケーブ２３、第２光ファイバケーブルである光ファイバケーブル２１、光ノード装置３０、光ノード装置３０から延出された同軸ケーブル２５、同軸ケーブル２５の所定個所に設けられた分岐器２６、そして分岐ケーブル２４に接続された需要家ネットワーク４０から構成される。
又、光ノード装置３０は光電変換器３１、３２、受信装置（Ｒｘ）３３、送信装置（Ｔｘ）３４、分波器３５、イーサネット通信装置３６、混合器３７から構成される。
【００２２】
又、需要家ネットワーク４０は、分岐ケーブル２４を伝搬した例えばベースバンド信号を分岐／分配する分岐／分配器４１、分岐／分配器４１に接続された端末装置４２、ＴＶ受信装置４３から構成される。尚、端末装置４２は、例えばイーサネット・インタフェースを備えたコンピュ−タ装置である。
又、ＣＡＴＶ局２０は図示しないインターネット・インターフェースを有しており、中央装置２２はそれを介して図示しないインターネット網に接続されている。
【００２３】
上記構成において、光ノード装置３０の送信器３４はＲＦ変調信号でデータを中央装置２２に送信する装置である。受信器３３は、中央装置２２からのＲＦ変調信号を受信する装置である。この下り方向のＲＦ変調信号は、ＴＶ信号及びデータで変調されたＲＦ変調信号である。これにより、上り方向には例えば１０ＭHz〜５０ＭHz帯で、下り方向には９０ＭHz〜７７０ＭHz帯で送信されている（図２（ａ））。
例えば、上り方向には帯域Ｕ0 で下り方向には帯域Ｄ0 〜Ｄn で伝送される。尚、下り方向のデータ信号は上記Ｄ0 〜Ｄn の何れかの帯域であり通常ＴＶ信号の空き帯域が使用される。又、５０ＭHZ〜９０ＭHZは、上り帯域と下り帯域を分離するためのガードバンドである。
【００２４】
又、上記光ノード装置３０のイーサネット通信装置３６は、イーサネット規格ＩＥＥＥ８０２．３に準拠した、例えば１００ＢＡＳＥ−Ｘのベースバンド方式でデジタル信号を送受信する装置である。１００ＢＡＳＥ−Ｘは、光イーサネットと通常のイーサネットを接続する意味である。この場合は、即ち１００Ｍｂｐｓで伝送する場合は、需要家４０と光ノード装置３０間を数百メートルの近距離に設定しその通信を半２重で行うものである。
【００２５】
信号の流れに従って、各構成要素の作用を説明する。本実施例では、ブロードバンド方式による伝送は、従来通りである。即ち、図２（ａ）に示す周波数帯域で、ＴＶ信号とデータ信号がＲＦ変調信号で伝送されているものとする。従って、ここではベースバンド方式で信号を双方向に伝送する場合のみ説明する。
例えば、需要家４０が端末装置４２からデータをベースバンド信号で送信する（図１）。ベースバンド信号は分岐／分配器４１、分岐ケーブル２４、分岐器２６、混合器３７を逆に辿り、イーサネット通信装置３６に入力される。この時、伝送方式を１００ＢＡＳＥ−Ｘとすれば、伝送速度は１００Ｍｂｐｓとなるので、周波数帯域で云えば図２（ｂ）に示す例えば帯域Ｕ1 （ＴＶ帯域の空き帯域）を使用して伝送する。
【００２６】
イーサネット通信装置３６は、その信号をイーサネット規格ＩＥＥＥ８０２．３に準拠して受信し、上記１００ＢＡＳＥ−Ｘのベースバンド方式で次段の光電変換器３２に送信する。そして、光電変換器３２はその信号を第２光ファイバ２１を介して中央装置２２に送信する（光イーサネット）。上り方向のデータ信号は、このようにＴＶ帯域に拡大された帯域で送信される。
尚、下り帯域で送信されたベースバンド信号の一部は、混合器３７を通過して分波器３５によって受信器（Ｒｘ）に分波されるが、方向が異なるため減衰されるものとする。又、中央装置２２から受信する他の帯域のＴＶ信号には影響を与えないものとする。
【００２７】
逆に、中央装置２２から光イーサネット方式で光ファイバケーブル２１に送信されたデータ信号は、光電変換器３２で電気信号に変換され、同様にイーサネット通信装置３６に入力される。イーサネット通信装置３６は、上記イーサネット仕様で下り方向に信号を半２重で送信する。送信されたデータ信号は、混合器３７でＴＶ信号と混合され、分岐器２６、分岐ケーブル２４を経由して、該当する需要家４０の端末装置４２に送信される。
【００２８】
このように、従来の光ノード装置に光電変換器３２とイーサネット通信装置３６と混合器３７を新たに付加すれば、需要家４０は中央装置２２にＴＶ帯域の空き領域を使用して、データをベースバンド信号で送信することができる。即ち、上り方向のチャネル数が増大し、従来より上り方向の通信効率を向上させることができる。又、イーサネット通信装置３６は、その後段により多数の端末装置４２を備えることができる。よって、容易にＬＡＮを拡大することができる。又、上述のようにイーサネット通信装置３６より上流は、光イーサネットとなるのでＲＦＩ(Radio-Frequency-Interference)の放射と干渉が除去され、伝送誤りが減少する。よって、その品質を向上させることができる。
尚、上記説明では上り方向の帯域を１００ＭＨｚ帯域（１００Ｍｂｐｓ）としたが、７００ＭＨｚ以上でもよい。その場合は、帯域Ｕn+1 を使用する（図２（ｂ））。更に、使用する帯域は、ＧＨｚ帯域でもよい。所謂、ギガビット・イーサネットでもよい。より、帯域を拡大することができる。
【００２９】
（第２実施例）
図３に本発明の多重伝送方式を説明する第２実施例を示す。図は、１例のＣＡＴＶシステム構成図である。尚、第１実施例で説明した図１と同等の機能を有する部位には同等の符号が付されている。
第１実施例は、光ノード３０と需要家４０間をベースバンド方式で半２重で通信する例であった。本実施例は、光ノード３０と需要家４０間の信号をＲＦ変調信号に置き換え、ＲＦ変調方式で全２重で通信することが特徴である。そのため、第１実施例の光ノード装置３０のイーサネット通信装置３６と混合器３７間に変復調器３８を備えている。これにより、従来の変復調器であるケーブルモデム４４を有する需要家４０にも適応することができる。
【００３０】
例えば、需要家４０が端末装置４２、ケーブルモデム４４からＲＦ変調信号でデータを送信した場合、送信された信号は分岐／分配器４１、分岐ケーブル２４、分岐器２６、混合器３７を経由して変復調器３８に入力される。この時、使用する周波数帯域は、図２（ｂ）に示すテレビジョン帯域の空き帯域が任意に選択される。例えば、７７０ＭＨｚ近傍の帯域Ｕn 、又は７００ＭＨｚを越えるＧＨｚ帯域Ｕn+2 を使用してＲＦ変調信号で変復調器３８に送信される。
【００３１】
変復調器３８は、そのＲＦ変調信号を復調して例えば１００ＢＡＳＥ−Ｘの仕様のベースバンド信号に変換し、次段のイーサネット通信装置３６に送信する。そして、イーサネット通信装置３６と光電変換器３２がそれを光イーサネットで中央装置２２に送信する。
逆に、中央装置２２から光イーサネットでイーサネット通信装置３６に入力されたベースバンド信号は、例えば１００ＢＡＳＥ−Ｘの仕様に変換されて次段の変復調器３６に入力される。変復調器３６は、そのベースバンド信号よって所定帯域の搬送波を変調し、ＲＦ変調信号として後段に送信する。この時の使用周波数帯域は、図２（ｂ）のテレビジョン帯域の空き帯域の例えば帯域Ｄn である。そして、そのＲＦ変調信号は混合器３７によってＴＶ信号と混合されて需要家４０に送信される。需要家４０のケーブルモデム４４はそれをベースバンド信号に復調し端末装置４２に送信する。このように、需要家４０と光ノード装置３０間は、ＲＦ変調信号で全２重通信が行われる。
【００３２】
上述のように、本発明の伝送方式では、光ノード装置３０と需要家４０間の下り方向の周波数構造は、ＴＶ信号帯域と下り方向のデータ信号帯域と上り方向のデータ信号帯域が混在可能となっている。このようにすれば、上り方向と下り方向のデータ信号の帯域が異なるように設定できるので、需要家４０から中央装置２２までが完全に全２重通信可能となる。即ち、需要家４０から中央装置２２までが、完全に例えば１００ＢＡＳＥ−Ｘ方式で通信可能となる。よって、第１実施例の半２重のベースバンド方式に比べて、より効率の良い伝送方式となる。    更に、需要家４０に異なる帯域（搬送波周波数）を与え、それを周波数多重で通信すれば多数の端末装置４２を接続することができる。よって、大規模ＬＡＮを形成することも可能となる。
【００３３】
上記の全実施例において、同軸ケーブル２５では上り帯域と下り帯域とを分離させていない。即ち、同軸ケーブル２５（少なくとも幹線）には、上り帯域と下り帯域とを分離する分波器、混合器、高域通過フィルタ、又は、低域通過フィルタなどの伝送帯域を制限する回路要素、伝送方向を制限する増幅器が設けられていない。これにより、光ノード３０と需要家４０との間の通信では、上りと下りの信号を任意帯域に配置させることが可能となり、上りの伝送容量と下りの伝送容量とを任意に設定することが可能となる。尚、１つの光ノード３０に接続されている１つの同軸ケーブル２５で約１００端末装置を接続することが可能となる。
【００３４】
（変形例）
以上、本発明を表わす１実施例を示したが、他にさまざまな変形例が考えられる。例えば、第２実施例では需要家４０は、光ノード装置３０に変復調器３８とイーサネット通信装置３６を設けて、ＲＦ変調信号で中央装置２２と通信したが、図４に示すように変復調器３８とイーサネット通信装置３６に代えて、分離帯域の異なる分波器３５ａ、送信器（Ｔｘ）３４ａ、受信器（Ｒｘ）３３ａを備えてもよい。これにより、送信器（Ｔｘ）３４ａ、受信器（Ｒｘ）３３ａと需要家４０に使用する周波数構造は例えば図５のように分離される。即ち、９０〜７７０ＭＨｚのテレビジョン帯域の空き帯域が、９０〜４００ＭＨｚの上り帯域Ｕ0 、・・、Ｕn と４５０〜７７０ＭＨｚの下り帯域Ｄ0 、・・、Ｄn に分離される。ここで、４００〜４５０ＭＨｚは、所謂ガードバンドである。
この構造により、需要家４０から上り帯域Ｕ0 、・・、Ｕn の何れかの帯域で送信されたＲＦ変調信号は、分岐ケーブル２４、分岐器２６、混合器３７、分波器３５ａを介し、送信器（Ｔｘ）３４ａに入力される。即ち、従来の１０〜５０ＭＨｚの上り帯域が拡大されて伝送される。このように構成してもよい。
【００３５】
又、第１実施例及び第２実施例において、光ノード装置３０内には、特に増幅器は設けなかったが、例えば分波器３５の後段に双方向増幅器を設けてもよい。双方向増幅器の前段、又は後段に混合器３７を設けて第１実施例と同様にイーサネット通信装置３６を接続すれば同等の効果がある。
【００３６】
又、第２実施例においてはケーブルモデム４４で直接、下り帯域で上り信号を送信したが、ケーブルモデム４４の上り信号仕様が従来の１０〜５０ＭＨｚであれば、そのケーブルモデム４４に図示しない周波数変換器を設け、その搬送波を下り帯域の空き帯域にシフトさせてもよい。同様に、上り帯域を拡大することができる。
【図面の簡単な説明】
【図１】本発明の第１実施例に係るデータ信号とテレビジョン信号の多重伝送方式及びその光ノード装置を用いたＣＡＴＶシステム構成図。
【図２】第１実施例に係わる周波数帯構造図。
【図３】本発明の第２実施例に係るデータ信号とテレビジョン信号の多重伝送方式及びその光ノード装置を用いたＣＡＴＶシステム構成図。
【図４】本発明の変形例に係わるデータ信号とテレビジョン信号の多重伝送方式及びその光ノード装置を用いたＣＡＴＶシステム構成図。
【図５】変形例に係わる周波数帯構造図。
【図６】従来の伝送方式が用いられるＣＡＴＶシステム構成図。
【図７】従来例に係る光ノード装置の構成ブロック図。
【符号の説明】
２０…ＣＡＴＶ局幅器
２２…中央装置
２１、２３…光ファイバケーブル
２４…分岐ケーブル
２５…同軸ケーブル
２６…分岐器
３０…光ノード装置
３１、３２…光電変換器
３３…受信器
３４…送信器
３５…分波器
３６…イーサネット通信装置
３７…混合器
３８…変復調器
４０…需要家
４１…分岐／分配器
４２…端末装置
４３…ＴＶ受信器
４４…ケーブルモデム
【図１】
0004672212.tif 000002
【図２】
0004672212.tif 000003
【図３】
0004672212.tif 000004
【図４】
0004672212.tif 000005
【図５】
0004672212.tif 000006
【図６】
0004672212.tif 000007
【図７】
0004672212.tif 000008